(57)【要約】【課題】  操作者が自ら処理シーケンスを作成することなく、また、使用態様に応じて操作性よく使用することができるＸ線検査装置を提供する。【解決手段】  観察モード用画面パターンＰ１、計測モード用画面パターンＰ２を含む複数の異なる画面パターンのいずれかが選択的に表示装置のモニタ画面に表示され、ポインティングデバイスを用いて指示することにより機能実行プログラムが起動する選択スイッチが前記各画面パターンの一部に形成されるＸ線検査装置１であって、選択スイッチ２４ｃは、現在表示中の画面パターンＰ１、Ｐ２に応じて、その画面パターンに関連する機能実行プログラムのうちで使用頻度が高い機能実行プログラムが割り付けられるようにする。【選択図】図１
2007113998.tif 000002
【特許請求の範囲】
【請求項１】
観察モード用画面パターン、計測モード用画面パターンを含む複数の異なる画面パターンのいずれかが選択的に表示装置のモニタ画面に表示され、ポインティングデバイスを用いて指示することにより機能実行プログラムが起動する選択スイッチが前記各画面パターンの一部に形成されるＸ線検査装置であって、
選択スイッチは、現在表示中の画面パターンに応じて、その画面パターンに関連する機能実行プログラムのうちで使用頻度が高い機能実行プログラムが割り付けられることを特徴とするＸ線検査装置。
【請求項２】
表示される選択スイッチ数よりも多い機能実行プログラムが各画面パターンに対して割り付けできるように用意され、各画面パターンが表示されているときの過去の機能実行プログラムの実行状況に基づいてその画面パターンの選択スイッチに割り付けられる機能実行プログラムが決定されることを特徴とする請求項１に記載のＸ線検査装置。
【発明の詳細な説明】
【技術分野】
【０００１】
本発明は、工業製品などの透視検査またはＣＴ検査などを行うためのＸ線検査装置に関し、さらに詳細には、表示装置のモニタ画面上でポインティングデバイスを用いて操作指示を与えることができるＸ線検査装置に関する。
【背景技術】
【０００２】
工業製品などの透視検査を行うＸ線検査装置では、Ｘ線発生装置のＸ線源に対向するようにして、イメージインテンシファイア（以下、ＩＩと略す）とＣＣＤカメラとを組み合わせたＸ線検出器を配置し、さらにＸ線源とＸ線検出器との間に移動可能なステージを配置して、ステージ上に被測定物を載置するようにしてある。そして、ステージを移動して測定視野内（Ｘ線通過領域）に被測定物の測定部位を移動し、Ｘ線測定を行う。最近はＩＩ、ＣＣＤカメラからなるＸ線検出器に代えて、フラットパネルＸ線検出器を使用したＸ線検査装置も利用されている。
Ｘ線測定により得られた透視Ｘ線画像は、目視観察による検査の他に、被測定物の種類や検査項目によっては、必要に応じて、予め装置に組み込んである種々の計測処理プログラムが実行され、計測処理が行われる。
【０００３】
最近のＸ線検査装置は、コンピュータシステムと接続しているものが一般的であり、コンピュータの制御の元に、Ｘ線検出器による透視Ｘ線像から作成したＸ線画像を表示装置のモニタ画面に表示したり、マウスやジョイスティック、トラックパッド、トラックボール等のポインティングデバイスを用いてＸ線検査装置の操作に必要な入力を行ったり、ハードディスク等のメモリにＸ線画像を記憶したり、メモリに格納した計測処理プログラムをロードして計測処理を実行したりしている。
【０００４】
コンピュータは、オペレーティングシステム（ＯＳ）と呼ばれる基本ソフトプログラムが常時動作しており、上述したモニタ画面への表示、マウス等からの操作、メモリへのアクセスは、この基本ソフトが処理を受け持ち、並列的に処理することができる。そして、操作者がＸ線検査装置を使用する際は、基本ソフトの上でＸ線検査装置用のアプリケーションソフトを実行するようにしている。
【０００５】
一般に、コンピュータに接続された分析装置については、必要な機能をできるだけ簡単な操作で実行させることが求められており、例えば、分析装置で行う各動作を、モニタ画面上に命令ブロックとして表示し、この表示された命令ブロックを、入力装置を用いてモニタ画面上で編集することにより一連の処理の処理シーケンスを作成し、さらに、モニタ画面に表示されるボタンに、処理シーケンスを割り付けて、機能割り付けされたボタンの押下操作により処理シーケンスを実行することが開示されている（特許文献１参照）。
【特許文献１】特開平１０−２２１１３０号公報
【発明の開示】
【発明が解決しようとする課題】
【０００６】
Ｘ線検査装置がコンピュータと接続して用いられることにより、単純な観察作業だけではなく、さらに多様な処理や操作を実現できるようになってきている。例えば、Ｘ線測定の結果得られたＸ線画像を保存したり、保存したＸ線画像を用いて後から各種の計測処理を実行したり、計測処理結果のレポートを作成したり、同形状の多数の被測定物について連続して測定を行う場合のティーチングファイルを作成したり、あるいは作成したティーチングファイルを実行したりする等の諸機能を実現することができるようになっている。
【０００７】
このように多様な機能を実現することができるようになったＸ線検査装置では、上述した従来例のように、操作者が自ら処理シーケンスを作成して、ボタンなどの選択スイッチに割り付けることもできる。しかしながら、予め、処理シーケンスを作成しておく必要があり、しかも、処理シーケンスの作成は手間を要する。
また、処理シーケンスを実行中は、任意の操作を実行することが困難である。
【０００８】
また、Ｘ線検査装置の使用は、被測定物に透視Ｘ線を照射してＸ線画像を目視で観察する観察目的の使用態様（モード）以外に、得られたＸ線画像に対し予め組み込んでおいた計測処理プログラムを実行して計測を行う使用態様もある。さらには、ティーチングによる自動測定が行われる場合には、装置に測定点等の測定情報をティーチングする測定条件設定のための使用態様（モード）もある。Ｘ線検査装置は、これらの使用態様ごとに、使用時に実行する処理や機能は大きく異なるので、使用態様ごとに必要な操作を簡単に実行できるようにすることが好ましい。
【０００９】
そこで、本発明は、操作者が自ら処理シーケンスを作成することなく、また、使用態様に応じて操作性よく使用することができるＸ線検査装置を提供することを目的とする。
【課題を解決するための手段】
【００１０】
上記課題を解決するためになされた本発明のＸ線検査装置は、観察モード用画面パターン、計測モード用画面パターンを含む複数の異なる画面パターンのいずれかが選択的に表示装置のモニタ画面に表示され、ポインティングデバイスを用いて指示することにより機能実行プログラムが起動する選択スイッチが前記各画面パターンの一部に形成されるＸ線検査装置であって、選択スイッチは、現在表示中の画面パターンに応じて、その画面パターンに関連する機能実行プログラムのうちで使用頻度が高い機能実行プログラムが割り付けられるようにしている。
ここで、ポインティングデバイスは、マウスが好ましいが、ジョイスティック、トラックパッド、トラックボール等のようなマウス以外のポインティングデバイスであってもよい。選択スイッチは、マウスによるクリック操作で入力を行うことができるボタンが好ましいが、これに限定されず、ポインティングデバイスによる操作でモニタ画面を見ながら入力が行えるものであればよい。
【００１１】
本発明によれば、Ｘ線検査装置は、使用態様（モード）ごとにそれぞれ専用の画面パターンが用意され、状況に応じて表示装置のモニタ画面に表示される。ここでいう使用態様（モード）には、測定中の被測定物についてのＸ線画像が表示される観察モード、Ｘ線画像に基づいて検査のための計測処理を行う計測モードが含まれる。これ以外にも、ティーチングのためのティーチングモード、レポート作成のためのレポート作成モード等必要に応じて専用の画面パターンが用意されている。これらの画面パターンの一部には選択スイッチが設けられており、ポインティングデバイスによって選択スイッチを指定することにより、その選択スイッチに割り付けられている機能実行プログラムが起動する。この選択スイッチに割り付けられる機能実行プログラムは、使用頻度が高い機能実行プログラムが割り付けられている。使用頻度が高いものは、例えば、それぞれの画面パターンが表示された状態のときに過去に実行された総回数を単純にカウントするようにして選択されもよい。また、直近のある期間内において実行された機能実行プログラムの回数から、最も使用頻度の高いものが選択されてもよい。
【００１２】
機能実行プログラムとして割り付けられるものを例示すると、観察モード画面については、作成したティーチングファイルを呼び出して実行するティーチング実行プログラム、測定中のＸ線画像を転送する画像転送プログラム、メモリに測定中のＸ線画像を保存する画像保存プログラム、測定中のＸ線画像をプリントする画像プリントプログラム等である。
また、計測モード画面については、計測対象の測定物の形状や種類によって異なるが、例えば実装基板検査用であればボールグリッドの接合状態を確認するＢＧＡ計測（Ball Grid Array計測）、ＩＣのハンダ付け部分に含まれる気泡とハンダとの比率（気泡率）を面積比率として確認する面積比率計測、ワイヤボンディングの不具合を確認するワイヤ流れ計測、真円度などの形状を確認するオブジェクト抽出、画像の濃淡と画素数との関係を確認する画像ヒストグラム等である。
【００１３】
また、上記発明において、表示される選択スイッチ数よりも多い機能実行プログラムが各画面パターンに対して割り付けできるように用意され、各画面パターンが表示されているときに過去の機能実行プログラムの実行状況に基づいて、その画面パターンの選択スイッチに割り付けられる機能実行プログラムが決定されるようにしてもよい。
これによれば、モニタ画面のスペースが限られており、機能実行プログラム数に比べて選択スイッチ数を十分に確保できない場合であっても、過去の機能実行プログラムの実行状況に基づいて使用頻度の高いものから割り付けることができるので、十分に操作性を高めることができる。
【発明の効果】
【００１４】
本発明によれば、操作者が手間をかけてシーケンスを作成することなく、使用態様(モード)に応じて使用頻度の高い機能実行プログラムを実行させる選択スイッチを、それぞれのモードの画面上に表示させることができる。
また、モニタ画面のスペースの都合で、数多くの選択スイッチが形成できなくても、使用頻度の高い機能実行プログラムから順に表示させておくことができる。
【発明を実施するための最良の形態】
【００１５】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１６】
図１は、本発明の一実施形態であるＸ線検査装置の構成を示すブロック図である。図２は、そのモニタ画面に表示される観察モード画面Ｐ１の一例を示す図であり、図３は計測モード画面Ｐ２の一例を示す図である。
このＸ線検査装置１は、Ｘ線発生装置１１とＸ線検出器１２とで構成されるＸ線測定光学系１３と、被測定物Ｓを載置するステージ１４と、ステージ１４を直交するＸＹＺ方向（ステージ面をＸＹ面とする）に並進駆動およびＺ軸に沿って回転駆動するための駆動機構１６と、Ｘ線検出器１２の横に固定された光学カメラ１８と、装置全体の制御を行う制御系２０とにより構成される。
【００１７】
制御系２０は汎用のコンピュータシステムにより構成されるが、そのハードウェアをさらにブロック化して説明すると、ＣＰＵ２１と、キーボード２２と、マウス２３と、液晶パネルなどの表示装置２４と、メモリ２５と、プリンタ２６により構成される。
また、ＣＰＵ２１が処理する機能をブロック化して説明すると、モード別画面編集部３０、Ｘ線画像作成部３１、Ｘ線画像表示制御部３２、光学カメラ画像作成部３３、光学カメラ画像表示制御部３４、駆動信号発生部３５、選択ボタン表示制御部３６、選択ボタン登録制御部３７とに分けられる。
また、メモリ２５は、光学カメラ画像記憶領域４１、透視Ｘ線像範囲記憶領域４２、機能実行プログラム記憶領域４３、機能実行プログラム使用履歴記憶領域４４、選択ボタン割り付け情報記憶領域４５とが設けられている。
【００１８】
Ｘ線測定光学系１３を構成するＸ線発生装置１１は、透視Ｘ線照射用のＸ線管を備えている。Ｘ線検出器１２は、Ｘ線管に対向するように配置されるＩＩと、このＩＩの後側に一体的に取り付けられたＣＣＤカメラとからなり、ＩＩが透視Ｘ線を検出することにより形成した蛍光像をＣＣＤカメラで撮影することにより、透視Ｘ線像の映像信号が出力されるようにしてある。
【００１９】
ステージ１４は、ステージ面内の方向であるＸＹ方向とステージ面に垂直なＺ方向との３次元方向にスライドすることが可能な下部ステージと、下部ステージに対しＺ軸方向の回転軸により回転可能に支持される上部ステージとにより構成され、被測定物Ｓは上部ステージに載置されるようにしてある。
駆動機構１６は、ＸＹＺ方向の３軸方向駆動用モータ、回転駆動用モータが搭載され、ＣＰＵ２１からのステージ駆動のための駆動制御信号に基づいてステージ１４を並進移動したり、回転移動したりする。
光学カメラ１８はＸ線検出器１２に隣接し、透視Ｘ線像測定に支障をきたさないようにＸ線の測定視野から離れた位置に固定してあり、ステージ１４上の被測定物Ｓを撮影する。なお、光学カメラ１８は、その視野がステージ全体を撮影することができるようにしてある。
【００２０】
次に、ＣＰＵ２１の各機能ブロックについて説明する。
モード別画面編集部３０は、操作者により現在選択されているモードに応じて、そのモードの画面パターンを表示するために、そのモード用の選択ボタン表示画像２４ｃとともに、画像情報（Ｘ線画像２４ａ、光学カメラ画像２４ｂ、その他の画像２４ｄ、２４ｅ、２４ｆ）を編集して、モニタ画面に表示する制御を行う。
【００２１】
なお、操作者によるモードの選択は、例えば、モード名をインデックスとしてモニタ画面上に表示するタグ形式のボタンを形成しておき、マウス操作でこのボタンを選択することにより行うようにしているが、操作者が簡単にモード選択できるのであれば、どのような選択方法によってモード選択が行われてもよい。
【００２２】
本装置では、モニタ画面に表示されるモード別の画面パターンとして、少なくとも観察モード用画面パターンＰ１と、計測モード用画面パターンＰ２とが用意されている。
このうち観察モード用画面パターンＰ１では、画面上に少なくとも測定中のＸ線画像２４ａと、観察モード用の選択ボタン群２４ｃ１（図２）とが表示される。観察モード用画面パターンＰ１では、さらに必要に応じて、これらの表示と同時に、後述する光学カメラ画像２４ｂ（外観画像）を表示したり、モニタ画面上でマウス操作によりステージ移動を行うためのステージコントロール用画像２４ｄやＸ線画像のサムネイル画像２４ｆを表示したりする。
計測モード用画面パターンＰ２では、画面上に少なくともＸ線画像２４ａと、計測モード用の選択ボタン群２４ｃ２（図３）とが表示される。計測モード用画面パターンＰ２では、さらに必要に応じて、各計測処理の計測結果などを表示する計測処理画像２４ｅを表示したりする。
観察モード用画面パターンＰ１、計測モード用画面パターンＰ２以外の他のモードでの画面パターンが用意されている場合についても、それぞれのモードの画面パターンで専用の選択ボタン群２４ｃを、同時に表示されるその他の画像と重ならないようにモニタ画面の一部に表示される。
【００２３】
Ｘ線画像作成部３１は、Ｘ線検出器１２から送られてきた透視Ｘ線像の映像信号を、次々とデジタル画像に変換し、コマ画像データ（Ｘ線画像）を作成する制御を行う。
Ｘ線画像表示制御部３２は、作成されたコマ画像データを表示装置２４に送って表示することにより、透視Ｘ線画像２４ａを動画表示する。この透視Ｘ線画像２４ａは、主として被測定物の局所的な透視Ｘ線像であり、被測定物の観察（検査）に用いる画像であって、観察モード用画面パターンＰ１や計測モード用画面パターンＰ２を実行中はモニタ画面に表示される。
【００２４】
光学カメラ画像作成部３３は、光学カメラ１８から送られてきた被測定物Ｓの可視光映像信号をデジタル画像データに変換し、メモリ２５の光学カメラ画像データ蓄積領域４１に蓄積する制御を行う。光学カメラ画像データは、被測定物Ｓ全体の外観画像を表示するためのデータである。この光学カメラ画像データは、ステージ１４を原点位置（ステージ１４の初期位置で、この初期位置からステージ１４を移動することによりその後のステージ１４の位置や座標が常に把握できるようにするための基準となる位置）に位置決めした状態で撮影する。
【００２５】
光学カメラ画像表示制御部３４は、表示装置２４のモニタ画面に、光学カメラ画像２４ｂ（外観画像）を表示する制御を行う。光学カメラ画像２４ｂ（外観画像）は、観察モード画面パターンＰ１、計測モード画面パターンＰ２、あるいはその他の画面パターンにおいて、操作者によりこの画面表示の指示がなされたときに光学カメラ画像データ記憶領域４１を参照して、表示される。
【００２６】
表示装置２４のモニタ画面に表示された光学カメラ画像２４ｂ上の位置は、ステージ１４上の実際の位置と対応が付けられているので、マウス操作によりモニタ画面上で位置指定すると対応するステージ上の位置の指定が可能となる。
すなわち、ステージ１４上の各点の位置は、座標で表現できる。ステージ１４を原点に復帰させた状態で、ステージ１４の光学カメラ画像２４ｂを作成すると、表示装置２４のモニタ画面にステージ１４の各点の画像が表示されることになる。これにより、実際のステージ１４上の各点と、モニタ画面に表示されている光学カメラ画像２４ｂ上のステージの各点との対応を付けることができる。この対応関係について光学カメラ画像記憶領域４１に記憶させておくことにより、以後、モニタ画面上でマウス２３により位置を指定すると、原点復帰状態におけるその指定位置に対応するステージ座標を読み出すことができるようになる。
【００２７】
また、原点復帰している状態で、Ｘ線測定光学系１３とステージ１４との位置関係は一定であるので、ステージ１４が原点復帰しているときのステージ１４の座標と透視Ｘ線像範囲とが予め対応付けられており、その対応関係（ステージ１４が原点復帰状態のときの透視Ｘ線像が得られる範囲の座標）が透視Ｘ線像範囲記憶領域４２に蓄積してある。
この結果、観察モード用画面パターンＰ１や計測モード用画面パターンＰ２において、ステージ１４が原点復帰しているときに、表示装置２４のモニタ画面に表示されるＸ線画像２４ａ上でマウス２３のポインタ（カーソル）にて位置を指定すると、透視Ｘ線像範囲記憶領域４２に蓄積してある対応関係のデータを参照することにより、対応するステージ１４の座標を読み出すことができる。以後、ステージ１４を原点位置から移動し、他の場所の透視Ｘ線像範囲をモニタ画面に表示するときは、移動量とマウス２３により指定したモニタ画面上の位置情報とを加算することにより、指定した透視Ｘ線像位置に対応するステージ座標が抽出されるようにしてある。
【００２８】
基本的には、Ｘ線画像２４ａの上でマウス２３などのポインティングデバイスにより位置指定すれば、光学カメラ画像２４ｂがなくてもステージ座標を抽出することができるが、Ｘ線画像２４ａは、通常、局所画像であり、被測定物の全体画像を見ながら位置指定する方が便利な場合もあるので、本実施形態では光学カメラ画像を２４ｂでも位置指定ができるようにしてある。
【００２９】
駆動信号発生部３５は、キーボード２２やマウス２３を用いた入力操作に基づいて、駆動機構１６を制御するための駆動信号を発生する。例えばキーボード２２の矢印キーを押下することにより押下された方向にステージ１４を移動するための駆動信号が発生することができるようにしてある。また、マウス２３によりポインタ（カーソル）をモニタ画面の透視Ｘ線画像２４ａ、あるいは光学カメラ画像２４ｂ（外観画像）上の位置を指定してクリックすることにより、上述したようにその位置のステージ座標が抽出されるので、その座標に移動するための駆動信号が発生するようにしてある。
【００３０】
選択ボタン表示制御部３６は、表示装置２４のモニタ画面上で、Ｘ線画像２４ａやその他の画像と重ならない位置に、選択ボタン２４ｃを表示し、表示した選択ボタン２４ｃのいずれかに対し、マウス２３等による入力操作がなされたときに、その選択ボタン２４ｃに割り付けられている機能実行プログラムを機能実行プログラム記憶領域４３から読み込んで起動する制御を行う。表示する選択ボタン数は、本実施例では４つとしているが、１つ以上であればよい。
選択ボタン数を増やせば、割り付け可能な機能実行プログラム数が増えるが、モニタ画面上で選択ボタンを表示できるスペースが限られているので、通常は４、５個ぐらいがよい。
各選択ボタン２４ｃに割り付けられる機能実行プログラムは、選択ボタン割り付け情報記憶領域４５に記憶されている。選択ボタン割り付け情報記憶領域４５では、図４に示すように、モード（観察モードや計測モード）ごとに、その時、そのモードで使用頻度が高い機能実行プログラムが割り付けられている。割り付けられる機能実行プログラムは、後述する選択ボタン登録制御部３７により、使用頻度に応じて随時更新されるようにしてある。
【００３１】
選択ボタン登録制御部３７は、各モードで実行される機能実行プログラムの過去の履歴を機能実行プログラム使用履歴記憶領域４４に蓄積しておき、この履歴データに基づいて、使用頻度の高い機能実行プログラムを抽出し、選択ボタン割り付け情報記憶領域４５を更新する制御を行う。
例えば、図５は機能実行プログラム使用履歴記憶領域４４に蓄積された履歴データの一例である。履歴の蓄積期間は任意に設定しておくことができ、例えば1月間の履歴データに基づいて使用頻度の高い機能実行プログラムを高い順に４つ選択し、これを図４の選択ボタン割り付け情報記憶領域４５に割り付けるようにしてある。
【００３２】
次に、上記構成の装置による動作について説明する。観察モードを選択すると、図２に示す観察モード用画面パターンＰ１が表示装置のモニタ画面に表示される。このときモニタ画面には、Ｘ線画像２４ａが表示されており、さらに操作者による指示により、ステージコントロール画像２４ｄやサムネイル画像２４ｆが表示されている。そして、これら画像と重ならない右上の位置に４つの選択ボタン２４ｃ１が表示されている。この選択ボタンには、図４に対応して「ティーチングファイル実行プログラム」「画像転送プログラム」「画像保存プログラム」「画像印刷プログラム」が割り付けられており、マウス２３によるクリック操作を行うと、それぞれ割り付けられた処理、動作が実行される。
【００３３】
そして、例えば、「画像保存」の選択ボタンを操作すると、現在表示されているＸ線画像２４ａが指定された記録媒体に保存される。これと同時に、図５に示した機能実行プログラム使用履歴記憶領域４４にその画像保存を実行したことが履歴として追加される。
以下、同様に機能実行プログラムの使用ごとに、履歴が更新される。そして、使用頻度の高い順が変化すると、それに応じて、選択ボタン割り付け情報記憶領域４５が更新され、その結果、選択ボタンに割り付けられる機能実行プログラムが変更される。
【００３４】
計測モードについても同様であり、図３に示す計測用画面パターンＰ２が表示装置のモニタ画面に表示され、使用頻度に応じて選択ボタンｃ２に割り付けられる機能実行プログラムが更新される。こちらに割り付けられる機能実行プログラムは、図２とは独立に設定される。
【産業上の利用可能性】
【００３５】
本発明は、コンピュータに接続して用いられるＸ線検査装置に利用することができる。
【図面の簡単な説明】
【００３６】
【図１】本発明の一実施形態であるＸ線検査装置の構成を示すブロック図。
【図２】観察モード画面パターンの一例を示す図。
【図３】計測モード画面パターンの一例を示す図。
【図４】選択ボタン割り付け情報記憶領域に記憶される情報を説明する図。
【図５】機能実行プログラム使用履歴記憶領域に蓄積された履歴データの一例を説明する図。
【符号の説明】
【００３７】
１：  Ｘ線検査装置
１１：  Ｘ線発生装置（Ｘ線源）
１２：  Ｘ線検出器
１３：  Ｘ線測定光学系
１４：  ステージ
１６：  駆動機構
１８：  光学カメラ
２０：  制御系
２１：  ＣＰＵ
２２：  キーボード
２３：  マウス
２４：  表示装置
２４ａ：Ｘ線画像
２４ｂ：光学カメラ画像
２４ｃ：選択ボタン
３１：  Ｘ線画像作成部
３２：  Ｘ線画像表示制御部
３３：  光学カメラ画像作成部
３４：  光学カメラ画像表示制御部
３５：  駆動信号発生部
３６：  選択ボタン表示制御部
３７：  選択ボタン登録制御部
４３：  機能実行プログラム記憶領域
４４：  機能実行プログラム使用履歴記憶領域
４５：  選択ボタン割り付け情報記憶領域
【図１】
2007113998.tif 000003
【図２】
2007113998.tif 000004
【図３】
2007113998.tif 000005
【図４】
2007113998.tif 000006
【図５】
2007113998.tif 000007